(57)【要約】表示パネルの駆動方法及び駆動装置は、色成分の差分値を比較することによりサブピクセルレンダリング技術に共有されるサブ画素を特定する。表示画像に共有されるサブ画素は、固定されることなく、色成分の差分値の絶対値が最も小さいサブ画素を選択して共有するため、画像エッジ領域のコントラストを改善しつつ、画像エッジ領域の歪み現象を軽減することができる。【選択図】図３
2020518022.tif 000002
【特許請求の範囲】
【請求項１】
表示パネルの駆動方法であって、
前記表示パネルは、マトリクス状に配列された複数の同一の画素素子を含み、各前記画素素子は、行方向に赤、緑及び青の三色のサブ画素を有し、
前記駆動方法は、
前記行方向に隣接する二つのサブ画素によって論理画素を構成することで、前記行方向における画素素子を複数の論理画素群に分割するステップと、
画像を表示するときの前記第１論理画素、第２論理画素及び第３論理画素における所定の色の色成分を取得するステップと、
前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較するステップと、
第１色成分差分値の絶対値が第２色成分差分値の絶対値以下である場合、第１論理画素における所定の色の色成分に基づいて画像を表示するときの第２論理画素における前記所定の色のサブ画素の発光強度を特定し、
第１色成分差分値の絶対値が第２色成分差分値の絶対値よりも大きい場合、第３論理画素における所定の色の色成分に基づいて画像を表示するときの第２論理画素における前記所定の色のサブ画素の発光強度を特定するステップと、を含み、
各論理画素群は、行方向に沿って順次配列された第１論理画素、第２論理画素及び第３論理画素を含み、前記第２論理画素は、隣接するサブ画素が有する所定の色が欠落し、
前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における所定の色の色成分、ＰｍＣ２は前記第１論理画素又は前記第３論理画素における所定の色の色成分である、表示パネルの駆動方法。
【請求項２】
Ｎ＝１／２である、請求項１に記載の駆動方法。
【請求項３】
表示パネルの駆動方法であって、
前記表示パネルは、マトリクス状に配列された複数の同一の画素素子を含み、各前記画素素子は、所定方向に複数の異なる色のサブ画素を有し、
前記駆動方法は、
前記所定方向に隣接する二つのサブ画素によって論理画素を構成することで、前記所定方向における画素素子を複数の論理画素群に分割するステップと、
画像を表示するときの前記第１論理画素、第２論理画素及び第３論理画素における所定の色の色成分を取得するステップと、
前記第２論理画素及び第１論理画素における前記所定の色の第１色成分差分値と、前記第２論理画素及び第３論理画素における前記所定の色の第２色成分差分値とを算出し、第１色成分差分値の絶対値と第２色成分差分値の絶対値とを比較するステップと、
第１色成分差分値の絶対値が第２色成分差分値の絶対値以下である場合、第１論理画素における所定の色の色成分に基づいて画像を表示するときの第２論理画素における前記所定の色のサブ画素の発光強度を特定し、
第１色成分差分値の絶対値が第２色成分差分値の絶対値よりも大きい場合、第３論理画素における所定の色の色成分に基づいて画像を表示するときの第２論理画素における前記所定の色のサブ画素の発光強度を特定するステップと、を含み、
各論理画素群は、所定方向に沿って順次配列された第１論理画素、第２論理画素及び第３論理画素を含み、前記第２論理画素は、隣接するサブ画素が有する所定の色が欠落する、
表示パネルの駆動方法。
【請求項４】
前記所定方向は、行方向を含む、請求項３に記載の駆動方法。
【請求項５】
各前記画素素子は、異なる色の三種類のサブ画素を含み、
異なる色は、赤、緑及び青である、請求項３に記載の駆動方法。
【請求項６】
前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における所定の色の色成分、ＰｍＣ２は前記第１論理画素又は前記第３論理画素における所定の色の色成分である、請求項３に記載の駆動方法。
【請求項７】
Ｎ＝１／２である、請求項６に記載の駆動方法。
【請求項８】
表示パネルの駆動装置であって、
前記表示パネルは、マトリクス状に配列された複数の同一の画素素子を含み、各前記画素素子は、所定方向に異なる色の複数のサブ画素を有し、
前記駆動装置は、
前記所定方向に隣接する二つのサブ画素によって論理画素を構成することで、前記所定方向における画素素子を複数の論理画素群に分割するプロセッサを含み、
各論理画素群は、所定方向に沿って順次配列された第１論理画素、第２論理画素及び第３論理画素を含み、前記第２論理画素は、隣接するサブ画素が有する所定の色が欠落し、
前記プロセッサは、
画像を表示するときの前記第１論理画素、第２論理画素及び第３論理画素における所定の色の色成分を取得し、
前記第２論理画素及び第１論理画素における前記所定の色の第１色成分差分値と、前記第２論理画素及び第３論理画素における前記所定の色の第２色成分差分値とを算出し、第１色成分差分値の絶対値と第２色成分差分値の絶対値とを比較し、
第１色成分差分値の絶対値が第２色成分差分値の絶対値以下である場合、第１論理画素における所定の色の色成分に基づいて画像を表示するときの第２論理画素における前記所定の色のサブ画素の発光強度を特定し、
第１色成分差分値の絶対値が第２色成分差分値の絶対値よりも大きい場合、第３論理画素における所定の色の色成分に基づいて画像を表示するときの第２論理画素における前記所定の色のサブ画素の発光強度を特定し、
前記駆動装置は、前記第２論理画素が表示されるとき、前記プロセッサによって特定された発光強度の光が発生するように前記所定の色のサブ画素を駆動するアクチュエータを含む、表示パネルの駆動装置。
【請求項９】
前記所定方向は、行方向を含む、請求項８に記載の駆動装置。
【請求項１０】
各前記画素素子は、異なる色の三種類のサブ画素を含み、
異なる色は、赤、緑及び青である、請求項８に記載の駆動装置。
【請求項１１】
前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における所定の色の色成分、ＰｍＣ２は前記第１論理画素又は前記第３論理画素における所定の色の色成分である、請求項８に記載の駆動装置。
【請求項１２】
Ｎ＝１／２である、請求項１１に記載の駆動装置。
【発明の詳細な説明】
【技術分野】
【０００１】
本発明は、表示分野に関し、特に表示パネルの駆動方法及び駆動装置に関するものである。
【背景技術】
【０００２】
表示パネルのサブ画素の配列密度を上げるとともに解像度を向上させるために、サブ画素のサイズがますます小さくなるが、画素の開口率や製造技術などの要因の制限によって、サブ画素のサイズを無制限に小さくすることはできず、これにより、解像度の一層の向上が制限される。現在、業界では、サブピクセルレンダリング（Ｓｕｂ  Ｐｉｘｅｌ  Ｒｅｎｄｅｒｉｎｇ,  ＳＰＲ）技術により表示パネルの解像度をより向上させることができる。このサブピクセルレンダリング技術は、隣接する画素素子にサブ画素を共有させることにより感覚解像度の向上が図られる。これにより、同じサブ画素の配列密度を有する場合、表示パネルの感覚解像度が向上する。或いは、感覚解像度が変わらないように維持される場合、サブ画素の配列密度に対する要求が低減される。しかしながら、従来のサブピクセルレンダリング技術では、共有のサブ画素が固定されている。そして、画像エッジ領域の色が素早く変化するとき、例えば、文字や線のエッジが表示されるとき、画像エッジ領域のコントラストを従来のサブピクセルレンダリング技術により正確に表示することができず、画像エッジ領域に歪み現象が発生する。
【発明の概要】
【０００３】
そこで、本発明は、画像エッジ領域のコントラストを改善しつつ、画像エッジ領域の歪み現象を軽減することができる表示パネルの駆動方法及び駆動装置を提供する。
【０００４】
本発明の一実施例に係る表示パネルの駆動方法によれば、前記表示パネルは、マトリクス状に配列された複数の同一の画素素子を含み、各前記画素素子は、行方向に赤、緑及び青の三色のサブ画素を有し、前記駆動方法は、
前記行方向に隣接する二つのサブ画素によって論理画素を構成することで、前記行方向における画素素子を複数の論理画素群に分割するステップと、
画像を表示するときの前記第１論理画素、第２論理画素及び第３論理画素における所定の色の色成分を取得するステップと、
前記第２論理画素及び第１論理画素における前記所定の色の第１色成分差分値と、前記第２論理画素及び第３論理画素における前記所定の色の第２色成分差分値とを算出し、前記第１色成分差分値の絶対値と前記第２色成分差分値の絶対値とを比較するステップと、
第１色成分差分値の絶対値が第２色成分差分値の絶対値以下である場合、第１論理画素における所定の色の色成分に基づいて画像を表示するときの第２論理画素における前記所定の色のサブ画素の発光強度を特定し、
第１色成分差分値の絶対値が第２色成分差分値の絶対値よりも大きい場合、第３論理画素における所定の色の色成分に基づいて画像を表示するときの第２論理画素における前記所定の色のサブ画素の発光強度を特定するステップと、を含み、
各論理画素群は、行方向に沿って順次配列された第１論理画素、第２論理画素及び第３論理画素を含み、前記第２論理画素は、隣接するサブ画素が有する所定の色が欠落し、
前記所定の色のサブ画素の発光強度は、以下の関係式に基づいて特定され、
Ｌ＝Ｎ＊（Ｐ２Ｃ２＋ＰｍＣ２）
ただし、Ｌは前記所定の色のサブ画素の発光強度、Ｎは定数、Ｐ２Ｃ２は前記第２論理画素における所定の色の色成分、ＰｍＣ２は前記第１論理画素又は前記第３論理画素における所定の色の色成分である。
【０００５】
本発明の一実施例に係る表示パネルの駆動方法によれば、前記表示パネルは、マトリクス状に配列された複数の同一の画素素子を含み、各前記画素素子は、所定方向に複数の異なる色のサブ画素を有し、前記駆動方法は、
前記所定方向に隣接する二つのサブ画素によって論理画素を構成することで、前記所定方向における画素素子を複数の論理画素群に分割するステップと、
画像を表示するときの前記第１論理画素、第２論理画素及び第３論理画素における所定の色の色成分を取得するステップと、
前記第２論理画素及び第１論理画素における前記所定の色の第１色成分差分値と、前記第２論理画素及び第３論理画素における前記所定の色の第２色成分差分値とを算出し、第１色成分差分値の絶対値と第２色成分差分値の絶対値とを比較するステップと、
第１色成分差分値の絶対値が第２色成分差分値の絶対値以下である場合、第１論理画素における所定の色の色成分に基づいて画像を表示するときの第２論理画素における前記所定の色のサブ画素の発光強度を特定し、
第１色成分差分値の絶対値が第２色成分差分値の絶対値よりも大きい場合、第３論理画素における所定の色の色成分に基づいて画像を表示するときの第２論理画素における前記所定の色のサブ画素の発光強度を特定するステップと、を含み、
各論理画素群は、所定方向に沿って順次配列された第１論理画素、第２論理画素及び第３論理画素を含み、前記第２論理画素は、隣接するサブ画素が有する所定の色が欠落する。
【０００６】
本発明の一実施例に係る表示パネルの駆動装置によれば、前記表示パネルは、マトリクス状に配列された複数の同一の画素素子を含み、各前記画素素子は、所定方向に異なる色の複数のサブ画素を有し、前記駆動装置は、
前記所定方向に隣接する二つのサブ画素によって論理画素を構成することで、前記所定方向における画素素子を複数の論理画素群に分割するプロセッサを含み、
各論理画素群は、所定方向に沿って順次配列された第１論理画素、第２論理画素及び第３論理画素を含み、前記第２論理画素は、隣接するサブ画素が有する所定の色が欠落し、前記プロセッサは、
画像を表示するときの前記第１論理画素、第２論理画素及び第３論理画素における所定の色の色成分を取得し、
前記第２論理画素及び第１論理画素における前記所定の色の第１色成分差分値と、前記第２論理画素及び第３論理画素における前記所定の色の第２色成分差分値とを算出し、第１色成分差分値の絶対値と第２色成分差分値の絶対値とを比較し、
第１色成分差分値の絶対値が第２色成分差分値の絶対値以下である場合、第１論理画素における所定の色の色成分に基づいて画像を表示するときの第２論理画素における前記所定の色のサブ画素の発光強度を特定し、
第１色成分差分値の絶対値が第２色成分差分値の絶対値よりも大きい場合、第３論理画素における所定の色の色成分に基づいて画像を表示するときの第２論理画素における前記所定の色のサブ画素の発光強度を特定し、
前記駆動装置は、前記第２論理画素が表示されるとき、前記プロセッサによって特定された発光強度の光が発生するように前記所定の色のサブ画素を駆動するアクチュエータを含む。
【発明の効果】
【０００７】
本発明は、色成分の差分値を比較することによりサブピクセルレンダリング技術に共有されるサブ画素を特定する。表示画像に共有されるサブ画素は、固定されることなく、色成分の差分値の絶対値が最も小さいサブ画素を選択して共有するため、画像エッジ領域のコントラストを改善しつつ、画像エッジ領域の歪み現象を軽減することができる。
【図面の簡単な説明】
【０００８】
【図１】本発明の一実施例に係る表示パネルの画素構造を示す概略図である。
【図２】本発明の一実施例に係る表示パネルの駆動方法を示す概略フローチャートである。
【図３】図１に示す表示パネルのサブ画素の配列を示す概略図である。
【図４】図１に示す表示パネルに第１画像エッジ領域を表示させるとき、隣接する三つの論理画素の色成分を示す概略図である。
【図５】図１に示す表示パネルに第２画像エッジ領域を表示させるとき、隣接する三つの論理画素の色成分を示す概略図である。
【図６】図２に記載の駆動方法に基づいて第１画像エッジ領域を表示するときの各サブ画素の色成分を示す概略図である。
【図７】本発明において第２画像エッジ領域を表示するときの各サブ画素の色成分を示す概略図である。
【図８】第２画像エッジ領域を従来のサブピクセルレンダリング技術により表示するとき、各サブ画素の色成分を示す概略図である。
【図９】第１画像エッジ領域を従来のサブピクセルレンダリング技術により表示するとき、各サブ画素の色成分を示す概略図である。
【図１０】本発明の他の実施例に係る表示パネルの画素構造を示す概略図である。
【図１１】本発明の一実施例に係る表示パネルの駆動装置の構造を示す概略図である。
【発明を実施するための形態】
【０００９】
以下、本発明の実施例における図面を参照しながら、本発明によって提供される様々な例示的実施例の技術手段を明確かつ完全に説明する。矛盾がない場合、下記の各実施例及びそれらの技術的特徴を互いに組み合わせることは可能である。
【００１０】
図１は、本発明の一実施例に係る表示パネルの画素構造を示す概略図である。前記表示パネルは、列方向に沿って配列される複数のデータ線Ｄｘと、行方向に沿って配列される複数の走査線Ｇｙと、複数の走査線Ｇｙ及び複数のデータ線Ｄｘによって定義される複数の画素素子Ｐｚとを含む。これらの画素素子Ｐｚは、マトリックス状に配列されてもよく、その構造及びサイズが完全に同一であってもよい。図３に示すように、行方向において、各画素素子Ｐｚは、青サブ画素Ｂ、赤サブ画素Ｒ及び緑サブ画素Ｇの三つのサブ画素を含むことができる。これにより、これら三色のサブ画素は、行方向に交互に順次配列される。すなわち、いずれのサブ画素の発光色も、行方向に隣接する二つのサブ画素の発光色とは異なる。
【００１１】
図２に示す駆動方法によれば、表示パネルを駆動することができる。図２を参照して、本発明の一実施例に係る駆動方法は、ステップＳ２１〜Ｓ２５を含むことができる。
【００１２】
Ｓ２１：所定方向に隣接する二つのサブ画素によって論理画素を構成することで、所定方向における画素素子を複数の論理画素群に分割し、各論理画素群は、所定方向に沿って順次配列された第１論理画素、第２論理画素及び第３論理画素を含み、第２論理画素は、隣接するサブ画素が有する所定の色が欠落する。
【００１３】
本実施例では、行方向に隣接する二つのサブ画素を選択して論理画素を構成することができる。図３に示す隣接する二つの画素素子Ｐｚを例として、青サブ画素Ｂ及び赤サブ画素Ｒは、第１論理画素Ｌ１を構成し、緑サブ画素Ｇ及び青サブ画素Ｂは、第２論理画素Ｌ２を構成し、赤サブ画素Ｒ及び緑サブ画素Ｇは、第３論理画素Ｌ３を構成する。
【００１４】
各論理画素は、二色のサブ画素のみを含み、隣接する論理画素が有する色のサブ画素を欠落する。例えば、第２論理画素Ｌ２は、第１論理画素Ｌ１及び第３論理画素Ｌ３が有する赤サブ画素Ｒを欠落する。
【００１５】
Ｓ２２：画像を表示するときの前記第１論理画素、第２論理画素及び第３論理画素における所定の色の色成分を取得する。
【００１６】
例えば、図４に示すように、表示パネルに第１画像エッジ領域を表示させるとき、第１論理画素Ｌ１における赤、緑、青の色成分は、（２２５、２２５、２２５）であり、第２論理画素Ｌ２における赤、緑、青の色成分は、（２２５、２２５、２２５）であり、第３論理画素Ｌ３における赤、緑、青の色成分は、（０、０、０）である。
【００１７】
また、例えば、図５に示すように、表示パネルに第２画像エッジ領域を表示させるとき、第１論理画素Ｌ１における赤、緑、青の色成分は、（０、０、０）であり、第２論理画素Ｌ２における赤、緑、青の色成分は、（２２５、２２５、２２５）であり、第３論理画素Ｌ３における赤、緑、青の色成分は、（２２５、２２５、２２５）である。
【００１８】
Ｓ２３：第２論理画素及び第１論理画素における所定の色の第１色成分差分値と、第２論理画素及び第３論理画素における所定の色の第２色成分差分値とを算出し、第１色成分差分値の絶対値と第２色成分差分値の絶対値とを比較する。
【００１９】
赤を所定の色の例として、図４に示すように、表示パネルに第１画像エッジ領域を表示させるとき、第２論理画素Ｌ２における赤の色成分Ｐ２Ｃ２は、２２５であり、第１論理画素Ｌ１における赤の色成分Ｐ１Ｃ２は、２２５であり、第３論理画素Ｌ３における赤の色成分Ｐ３Ｃ２は、０である。すると、第１色成分差分値Ｐ２Ｃ２−Ｐ１Ｃ２は、０であり、第２色成分差分値Ｐ３Ｃ２−Ｐ２Ｃ２は、−２２５であり、第１色成分差分値の絶対値│Ｐ２Ｃ２−Ｐ１Ｃ２│は、０であり、第２色成分差分値の絶対値│Ｐ３Ｃ２−Ｐ２Ｃ２│は、２２５である。
【００２０】
図５に示すように、表示パネルに第２画像エッジ領域を表示させるとき、第２論理画素Ｌ２における赤の色成分Ｐ２Ｃ２は、２２５であり、第１論理画素Ｌ１における赤の色成分Ｐ１Ｃ２は、０であり、第３論理画素Ｌ３における赤の色成分Ｐ３Ｃ２は、２２５である。すると、第１色成分差分値Ｐ２Ｃ２−Ｐ１Ｃ２は、２２５であり、第２色成分差分値Ｐ３Ｃ２−Ｐ２Ｃ２は、０であり、第１色成分差分値の絶対値│Ｐ２Ｃ２−Ｐ１Ｃ２│は２２５であり、第２色成分差分値の絶対値は│Ｐ３Ｃ２−Ｐ２Ｃ２│は０である。
【００２１】
Ｓ２４：第１色成分差分値の絶対値が第２色成分差分値の絶対値以下である場合、第１論理画素における所定の色の色成分に基づいて画像を表示するときの第２論理画素における所定の色のサブ画素の発光強度を特定する。
【００２２】
表示パネルに第１画像エッジ領域を表示させるとき、第１色成分差分値の絶対値は、第２色成分差分値の絶対値よりも小さいので、すなわち、
│Ｐ２Ｃ２−Ｐ１Ｃ２│＜│Ｐ３Ｃ２−Ｐ２Ｃ２│
本実施例では、第１論理画素Ｌ１における赤の色成分に基づいて画像を表示するときの第２論理画素Ｌ２における赤サブ画素Ｒの発光強度、すなわち、第１画像エッジ領域を表示するときの第２論理画素Ｌ２における赤サブ画素Ｒの発光強度を特定する。
【００２３】
本実施例では、以下の関係式に基づいて赤サブ画素Ｒの発光強度を特定することができる。
Ｌ＝Ｎ＊（Ｐ２Ｃ２＋ＰｍＣ２）                …関係式（１）
ただし、Ｌは赤サブ画素Ｒの発光強度、Ｎは定数、Ｐ２Ｃ２は第２論理画素Ｌ２における赤の色成分、ＰｍＣ２は絶対値が最も小さい論理画素における赤の色成分である。このとき、ＰｍＣ２は第１論理画素Ｌ１における赤の色成分である。
【００２４】
Ｎの値が１／２である場合、本実施例から得られる赤サブ画素Ｒの発光強度Ｌは、２２５であるが、図６に示すように、当該発光強度の赤サブ画素Ｒは、第２論理画素Ｌ２の第３論理画素Ｌ３から離間する側に位置する。一方、第２論理画素Ｌ２の第３論理画素Ｌ３に近接する側において、赤サブ画素Ｒの発光強度は、依然として０である。このため、第１画像エッジ領域のコントラストを正確に表示し、第１画像エッジ領域に歪み現象が発生することを回避することができる。
【００２５】
Ｓ２５：第１色成分差分値の絶対値が第２色成分差分値の絶対値よりも大きい場合、第３論理画素における所定の色の色成分に基づいて画像を表示するときの第２論理画素における所定の色のサブ画素の発光強度を特定する。
【００２６】
表示パネルに第２画像エッジ領域を表示させるとき、第１色成分差分値の絶対値は、第２色成分差分値の絶対値よりも大きいので、すなわち、
│Ｐ２Ｃ２−Ｐ１Ｃ２│＞│Ｐ３Ｃ２−Ｐ２Ｃ２│
本実施例では、第３論理画素Ｌ３における赤の色成分に基づいて画像を表示するときの第２論理画素Ｌ２における赤サブ画素Ｒの発光強度を特定する。
【００２７】
本実施例では、上記関係式（１）から得られる赤サブ画素Ｒの発光強度Ｌは、２２５であるが、図７に示すように、当該発光強度の赤サブ画素Ｒは、第２論理画素Ｌ２の第１論理画素Ｌ１から離間する側に位置する。一方、第２論理画素Ｌ２の第１論理画素Ｌ１に近接する側において、赤サブ画素Ｒの発光強度は依然として０である。このため、第２画像エッジ領域のコントラストを正確に表示し、第２画像エッジ領域に歪み現象が発生することを回避することができる。
【００２８】
表示パネルを従来のサブピクセルレンダリング技術により駆動する場合、第１論理画素Ｌ１における赤サブ画素Ｒを第２論理画素Ｌ２の共有サブ画素として固定的に選択して、第１画像エッジ領域を表示するとき、第２論理画素Ｌ２の第３論理画素Ｌ３に近接する側において、赤サブ画素Ｒの発光強度は０である。図６に示すように、第１画像エッジ領域のコントラストを正確に表示し、歪み現象が発生することを回避することができる。しかしながら、第２画像エッジ領域を表示するとき、第２論理画素Ｌ２の第１論理画素Ｌ１に近接する側において、赤サブ画素Ｒの発光強度は、１２７である。図８に示すように、第２画像エッジ領域に色のエイリアシングが発生し、コントラストの歪み現象が発生する。
【００２９】
一方、第３論理画素Ｌ３における赤サブ画素Ｒを第２論理画素Ｌ２の共有サブ画素として固定的に選択して、第１画像エッジ領域を表示するとき、第２論理画素Ｌ２の第３論理画素Ｌ３に近接する側において、赤サブ画素Ｒの発光強度は、１２７である。図９に示すように、第２画像エッジ領域に色のエイリアシングが発生し、コントラストの歪み現象が発生する。第２画像エッジ領域を表示するとき、第２論理画素Ｌ２の第１論理画素Ｌ１に近接する側において、赤サブ画素Ｒの発光強度は、０であある。図７に示すように、第１画像エッジ領域のコントラストを正確に表示し、歪み現象が発生することを回避することができる。
【００３０】
このように、本発明は、色成分の差分値を比較することによりサブピクセルレンダリング技術に共有されるサブ画素を特定する。表示画像に共有されるサブ画素は、固定されることなく、色成分の差分値の絶対値が最も小さいサブ画素が選択を選択して共有するため、画像エッジ領域のコントラストを改善しつつ、画像エッジ領域の歪み現象を軽減することができる。
【００３１】
本発明は、図１に示すＲＧＢ  Ｓｔｒｉｐｅ型画素構造の表示パネルだけでなく、図１０に示すＲＧＢ  Ｄｅｌｔａ型画素構造を有する表示パネルにも適用可能である。図１０を参照して、青サブ画素Ｂ、赤サブ画素Ｒ及び緑サブ画素Ｇの三色のサブ画素は行方向にも交互に順次配列される。本実施例に係る画素構造について、本発明は、依然として行方向に隣接する二つのサブ画素を選択して、上記第１論理画素Ｌ１、第２論理画素Ｌ２及び第３論理画素Ｌ３をそれぞれ構成することができる。
【００３２】
本発明は、表示パネルの駆動装置をさらに提供する。図１１に示すように、前記駆動装置１１０は、プロセッサ１１１と、プロセッサ１１１に接続されるアクチュエータ１１２とを含む。
【００３３】
プロセッサ１１１は、所定方向に隣接する二つのサブ画素によって論理画素を構成することで、所定方向における画素素子を複数の論理画素群に分割し、各論理画素群は、所定方向に沿って順次配列された第１論理画素、第２論理画素及び第３論理画素を含み、第２論理画素は、隣接するサブ画素が有する所定の色が欠落する。
【００３４】
また、プロセッサ１１１は、画像を表示するときの第１論理画素、第２論理画素及び第３論理画素における所定の色の色成分を取得する。
【００３５】
また、プロセッサ１１１は、第２論理画素及び第１論理画素における所定の色の第１色成分差分値と、第２論理画素及び第３論理画素における所定の色の第２色成分差分値とを算出し、第１色成分差分値の絶対値と第２色成分差分値の絶対値とを比較する。
【００３６】
また、プロセッサ１１１は、第１色成分差分値の絶対値が第２色成分差分値の絶対値以下である場合、第１論理画素における所定の色の色成分に基づいて画像を表示するときの第２論理画素における所定の色のサブ画素の発光強度を特定する。
【００３７】
また、プロセッサ１１１は、第１色成分差分値の絶対値が第２色成分差分値の絶対値よりも大きい場合、第３論理画素における所定の色の色成分に基づいて画像を表示するときの第２論理画素における所定の色のサブ画素の発光強度を特定する。
【００３８】
アクチュエータ１１２は、第２論理画素が表示されるとき、プロセッサ１１１によって特定された発光強度の光が発生するように所定の色のサブ画素を駆動する。
【００３９】
本実施例に係る駆動装置１１０の構成要素は、対応して上記実施例に係る駆動方法を実行し、同様の技術的効果を有する。
【００４０】
上記は、本発明の実施例にすぎず、本発明の特許範囲を限定するものではない。本発明の明細書及び図面の内容によって行われる同等の構造又は同等のプロセス変換、例えば、各実施例間の技術的特徴の組み合わせ、又は他の関連技術分野における直接的又は間接的適用は、同様に本発明の特許保護範囲に含まれる。
【図１】
2020518022.tif 000003
【図２】
2020518022.tif 000004
【図３】
2020518022.tif 000005
【図４】
2020518022.tif 000006
【図５】
2020518022.tif 000007
【図６】
2020518022.tif 000008
【図７】
2020518022.tif 000009
【図８】
2020518022.tif 000010
【図９】
2020518022.tif 000011
【図１０】
2020518022.tif 000012
【図１１】
2020518022.tif 000013
【国際調査報告】
2020518022.tif 000014
2020518022.tif 000015
2020518022.tif 000016
2020518022.tif 000017